(57)【要約】【課題】メモリーカード等の記憶媒体の着脱を容易にするとともに、機器本体の製造時における各電子部品間の配線を簡単に行うことができる電子機器を提供すること。【解決手段】時刻等の情報を表示する表示部を有する蓋部本体３と、該蓋部本体３とヒンジ部５を介して相互に開閉可能に連結されるとともに、使用者の手首に装着させるためのバンド６を有する受け部４と、前記蓋部本体３と前記受け部４とが互いに閉じられたとき、その閉じられた状態を保持する保持手段と、各種情報を記憶するメモリーカード２等の記憶媒体を着脱可能に収納するカセット２１とを備え、該カセット２１が、前記蓋部本体３に設けられたことを特徴とする。【選択図】        図１
2005031996.tif 000002
【特許請求の範囲】
【請求項１】
時刻等の情報を表示する表示部を有する蓋部本体と、該蓋部本体とヒンジ部を介して相互に開閉可能に連結されるとともに、使用者の手首に装着させるためのバンドを有する受け部と、前記蓋部本体と前記受け部とが互いに閉じられたとき、その閉じられた状態を保持する保持手段と、各種情報を記憶するメモリーカード等の記憶媒体を着脱可能に収納するカセットとを備え、
該カセットが、前記蓋部本体に設けられた電子機器。
【請求項２】
前記カセットが、前記蓋部本体に、他のヒンジ部を介して相互に回転可能に連結され、
前記カセットを前記蓋部本体に対して相互に開いた状態になるように付勢する付勢部材が設けられている請求項１に記載の電子機器。
【請求項３】
前記カセットが、略矩形に形成されるとともに、その一辺に形成された前記記憶媒体を出し入れするための開口部と、該開口部に連続して形成された切欠とを備えた請求項１または請求項２に記載の電子機器。
【請求項４】
前記受け部が、前記蓋部本体と前記受け部とが相互に閉じられたとき前記カセットを収納する凹部を備え、前記蓋部本体と前記受け部のいずれか一方に、前記閉じられた状態において前記凹部の外縁を取り囲む位置に防水部材が設けられた請求項１から請求項３のいずれか一つに記載の電子機器。
【請求項５】
前記保持手段が、前記蓋部本体および前記受け部のいずれか一方に設けられた係合爪と、同他方に設けられ前記係合爪に係合される被係合部とを備えるとともに、前記係合爪と被係合部との係合状態を保持するロック機構を備えた請求項１から請求項４のいずれか一つに記載の電子機器。
【発明の詳細な説明】
【０００１】
【発明の属する技術分野】
本発明は、使用者の手首等に装着可能な電子機器に関するものである。
【０００２】
【従来の技術】
今日、使用者の手首に装着可能な機器として、腕時計のような時刻表示機能を有するだけでなく、音楽データを再生したり、携帯通信端末として利用できるような多機能な電子機器が提供されている。この種の電子機器においては、これら電子機器と、これとは別の異なる機器との間で音楽、画像等の種々のデータをやり取りすることができるようにするため、メモリーカード等の着脱可能な外部記憶媒体への適応が要請される。
そこで、従来より、表示部を有する蓋部と、この蓋部とヒンジ部を介して互いに開閉可能に連結されるとともに、使用者の手首に装着させるためのバンドを有する受け部本体とを備え、この受け部本体に、メモリーカードを着脱可能に収容する収容部が形成されたものが提案されている（例えば、特許文献１参照。）。
【０００３】
【特許文献１】
特開２００１−１７４５７３号公報（第８−９頁、第１０図）
【０００４】
【発明が解決しようとする課題】
しかしながら、このような構成を採用した場合には、対応するメモリーカードを機器内に収容できるものの、それを取り外す際には、メモリーカードと収容部の隙間に爪等を入れてメモリーカード本体を引っ張り出さなければならず、まして機器本体は通常手首に装着され、取り外しの際の位置、角度が制限されていることから、受け部本体からのメモリーカードの着脱がスムーズになし得ないという問題があった。
また、メモリーカードに格納されたデータ等に応じて、表示部に各種情報を表示等するため、受け部本体に形成された収容部から、ヒンジ部を介して、蓋部に設けられた表示部へと接続する必要があり、その配線が複雑になるという問題があった。
【０００５】
本発明は、このような事情に鑑みてなされたものであって、メモリーカード等の記憶媒体の着脱を容易にするとともに、機器本体の製造時における各電子部品間の配線を簡単に行うことができる電子機器を提供することを目的とする。
【０００６】
【課題を解決するための手段】
上記課題を解決するために、本発明は以下の手段を提供する。
請求項１に係る発明は、時刻等の情報を表示する表示部を有する蓋部本体と、該蓋部本体とヒンジ部を介して相互に開閉可能に連結されるとともに、使用者の手首に装着させるためのバンドを有する受け部と、前記蓋部本体と前記受け部とが互いに閉じられたとき、その閉じられた状態を保持する保持手段と、各種情報を記憶するメモリーカード等の記憶媒体を着脱可能に収納するカセットとを備え、該カセットが、前記蓋部本体に設けられたことを特徴とする。
【０００７】
この発明に係る電子機器によれば、使用者が自分の手首に前記バンドを巻き、前記電子機器を装着する。このとき、記憶媒体を収納するカセットが蓋部本体に設けられていることから、使用者の手首に装着された状態であっても、記憶媒体の着脱をスムーズに行うことが可能となる。さらに、カセットと表示部とが同じ蓋部本体に設けられているため、カセットと表示部とを接続するためにヒンジ部を介して配線する必要が無く、容易に接続することが可能となる。
【０００８】
請求項２に係る発明は、請求項１に記載の電子機器において、前記カセットが、前記蓋部本体に、他のヒンジ部を介して相互に回転可能に連結され、前記カセットを前記蓋部本体に対して相互に開いた状態になるように付勢する付勢部材が設けられていることを特徴とする。
この発明に係る電子機器によれば、記憶媒体の着脱の際に、付勢部材により、カセットが他のヒンジ部を支点として相互に回転させられ、一定角度開いた状態にさせられる。したがって、記憶媒体の着脱をよりスムーズに行うことが可能となる。
【０００９】
請求項３に係る発明は、請求項１または請求項２に記載の電子機器において、前記カセットが、略矩形に形成されるとともに、その一辺に形成された前記記憶媒体を出し入れするための開口部と、該開口部に連続して形成された切欠とを備えたことを特徴とする。
この発明に係る電子機器によれば、開口部からカセットの所定の位置に記憶媒体が設置されると、記憶媒体の一部は切欠部分から露出させられた状態となる。
したがって、その露出する部分に指をあてがうことができ、記憶媒体の着脱がさらに容易になる。
【００１０】
請求項４に係る発明は、請求項１から請求項３のいずれか一つに記載の電子機器において、前記受け部が、前記蓋部本体と前記受け部とが相互に閉じられたとき前記カセットを収納する凹部を備え、前記蓋部本体と前記受け部のいずれか一方に、前記閉じられた状態において前記凹部の外縁を取り囲む位置に防水部材が設けられたことを特徴とする。
【００１１】
この発明に係る電子機器によれば、蓋部本体と受け部とを相互に閉じたときに、前記カセットが前記凹部に収納される。このとき、凹部の外縁を取り囲む位置に防水部材が設けられていることから、防水部材により、凹部内が密閉される。
これにより、凹部内が防水され、その凹部内にてカセットに取り付けられた記憶媒体を、水分等から防止することが可能となる。さらに、従来のように、記憶媒体収容部と表示部とが本体ヒンジ部を介して別々に設けられているときは、ヒンジ部内にフレキシブル配線基板を通して両者を接続するため、本体ヒンジ部等にも防水処理を施す必要があるが、本発明においては、カセットと表示部とがともに蓋部本体に設けられていることから、凹部の外からの余分な配線が不要となり、凹部内を防水するだけで充分な効果が得られる。
【００１２】
請求項５に係る発明は、請求項１から請求項４のいずれか一つに記載の電子機器において、前記保持手段が、前記蓋部本体および前記受け部のいずれか一方に設けられた係合爪と、同他方に設けられ前記係合爪に係合される被係合部とを備えるとともに、前記係合爪と被係合部との係合状態を保持するロック機構を備えたことを特徴とする。
【００１３】
この発明に係る電子機器によれば、蓋部本体と受け部とを相互に閉じたとき、その蓋部本体と受け部とのいずれか一方に設けられた係合爪と、同他方に設けられた被係合部が係合されることにより、蓋部本体と受け部とが相互に閉じられた状態に保持される。さらに、ロック機構を駆動することにより、係合爪と被係合部との係合状態がロックされる。したがって、このロックされた状態から、蓋部本体と受け部とを相互に開くときには、２段階の解除手順が必要となる。すなわち、まず最初にロック機構によるロックを解除し、それから係合爪と被係合部との係合状態を解除する必要がある。
これにより、蓋部本体と受け部とが相互に閉じた状態を安定確実に保持することができ、不意の振動や衝撃によって、それらがはずれて蓋部本体と受け部とが相互に開いてしまうのを防止することが可能となる。
【００１４】
【発明の実施の形態】
以下、本発明の一実施形態に係る電子機器について、図面を参照して説明する。
本実施形態では、電子機器として、腕時計式の楽音再生装置に適用した場合を例に挙げて説明する。
図１は、本発明の一実施形態である腕時計式の楽音再生装置を示した図であって、符号１は楽音再生装置、符号２はメモリーカードを示したものである。
最初に、この楽音再生装置１に適用されるメモリーカード２について説明する。メモリーカード２は、楽音再生装置１の外部記憶媒体として使用されるものである。すなわち、メモリーカード２は、ＩＣメモリからなるメモリ回路（不図示）と、データの受け渡し部としての入出力端子２ａとを備え、デジタル入力された楽音信号データをＭＰ３（Ｍｏｖｉｎｇ  Ｐｉｃｔｕｒｅ  Ｅｘｐｅｒｔｓ  Ｇｒｏｕｐ−１  Ａｕｄｉｏ  Ｌａｙｅｒ３）等のデータ圧縮規格を用いて圧縮して記録されるようになっている。これら記録されたデータを楽音再生装置１が読み込み、楽音を再生することによって、使用者は目的の音楽を聴くことができるようになっている。
【００１５】
次いで、楽音再生装置１について詳述する。
楽音再生装置１は、本装置１の各種機能を実現するための種々の本体機能部品を内蔵する蓋部本体３と、使用者の手首に巻いて、本装置１を装着させるためのバンド６を備える受け部４とが、本体ヒンジ部５を介して軸線Ｏを中心として相互に開閉可能に連結されたものである。この場合、蓋部本体３は受け部４に対して、その開閉角度が最大略６０度になるように制限されている。
【００１６】
楽音再生装置１の蓋部本体３には、図２および図３に示すように、その表面３ｂ側に音楽を再生するための再生キー等を有する操作部７と、時刻や再生状態等の情報を表示する液晶表示部１１とが設けられ、さらに液晶表示部１１の外面を保護するために液晶表示部１１の外面を覆う透明なガラス部８が設置されている。ガラス部８は、表面３ｂに接着防水されており、蓋部本体３内部への水分の侵入を防止した構成とされている。液晶表示部１１は、蓋部本体３に内蔵された基板１２に接続されている。
【００１７】
また、蓋部本体３の裏面３ａ、すなわち蓋部本体３と受け部４とを閉じたときの内側の面には、図１に示すように、外方に突出した矩形の台座９と、その台座９の縁部に沿って防水部材２６が設けられている。台座９には、その中央より若干本体ヒンジ部５側に開口部１０が形成されており、台座９の本体ヒンジ部５側の二隅には小ヒンジ部２０が設けられている。そして、この小ヒンジ部２０により、メモリーカード２を収納する略矩形のカセット２１が回転可能に支持されるとともに、板バネ２２によって、蓋部本体３とカセット２１とが常に一定角度だけ相互に開いた状態になるよう付勢された状態になっている。
【００１８】
カセット２１は、帯状に延びる底壁部２１ａと、その長さ方向の両端から底壁部２１ａと交差する方向に延びる両側壁部２１ｂと、底壁部２１ａの幅方向の両端から両側壁部２１ｂに縁部を接して延びる両主壁部２１ｃとを備えてなるものである。底壁部２１ａと対向する側の一辺は、開口部２３を備え、この開口部２３を通して外方に開放された状態になっている。また、両側壁部２１ｂの長さ方向の一端のうち、底壁部２１ａ側の一端に、上述の小ヒンジ部２０がそれぞれ取り付けられており、底壁部２１ａと台座９とが若干離間された状態、すなわちカセット２１が台座９と接触しない状態で小ヒンジ部２０により支持された構成となっている。さらに、開口部２３を通して、メモリーカード２を出し入れするようになっている。
さらに、カセット２１の内部には、メモリーカード２を設置した場合に、そのメモリーカード２の入出力端子２ａと電気的接続をとるための図３に示す電極端子２２が設けられており、この電極端子２２は、開口部１０を通したフレキシブル配線基板１３を介して、基板１２に設けられた電子回路と接続されている。
【００１９】
また、開口部２３には、その長さ方向の両端に、開口部２３に連続して切欠２４が形成されている。したがって、カセット２１にメモリーカード２を収容した状態において、メモリーカード２の両端がカセット２１から露出されるようになっている。そのため、メモリーカード２を、その両端を指で把持した状態のまま、カセット２１に押し込むことができ、さらに、収容されたメモリーカード２についても、その両端を指で把持して抜きだすことができるようになっている。
【００２０】
受け部４の外面のうち、蓋部本体３と受け部４とを相互に閉じたときの内側の面４ａには、段部２８を有する略矩形の凹部２７が形成されている。凹部２７は、その底面側に形成された、カセット２１を収納するための第１の空間と、段部２８が形成されることによりこの第１の空間より若干広めの面積とされ、凹部２７の開口部側に形成された第２の空間とを備えてなるものである。この構成の下に、蓋部本体３と受け部４とを閉じたときに、蓋部本体３の裏面に設けられたカセット２１が第１の空間に、台座９が第２の空間に収容されるようになっている。このとき、台座９の縁部に沿って防水部材２６が取り付けられていることから、防水部材２６と内側の面４ａとが密着するようになっている。
【００２１】
さらに、この楽音再生装置１は、蓋部本体３と受け部４とを相互に閉じた状態を保持するため、保持手段とロック機構３１とを備えている。
受け部４には係合部２９が設けられ、蓋部本体３には被係合部材３０が設けられ、これら係合部２９および被係合部材３０が保持手段を構成している。係合部２９は、内側の面４ａの軸線Ｏ方向の両端に設けられた一対の係合爪２９ａと、受け部４の両側面部４ｂに一定間隔の隙間３２を設けてそれぞれに取り付けられたボタン２９ｂとを有している。係合爪２９ａは、面４ａから上方に突出して設けられており、ボタン２９ｂを押圧することにより、係合爪２９ａが軸線Ｏと平行な方向に向けて、すなわち受け部４の同方向の中央に向けてスライドさせられるようになっている。そして、ボタン２９ｂを解放すると、係合爪２９ａは、図示しない付勢部材によって、前記中央と反対側にスライドさせられ所定の位置に戻されるようになっている。
【００２２】
また、被係合部材３０は、被係合穴３０ｃと、この被係合穴３０ｃ内に設けられ、かつ蓋部本体３内に向けられた傾斜面３０ｂを備える被係合爪３０ａ（被係合部）とを有している。そして、蓋部本体３と受け部４とを相互に閉じた状態におくとき、係合爪２９ａが、被係合爪３０ａの傾斜面３０ｂにより前記中央に向けてスライドさせられ、被係合穴３０ｃに挿入されると同時に、被係合爪３０ａと係合させられるようになっている。
【００２３】
さらに、ロック機構３１は、蓋部本体３の裏面３ａから突出するロック部３１ａと、蓋部本体３の側面部３ｂに設けられるとともに、その側面部３ｂの長さ方向にスライド可能なスライドボタン３１ｂとを有している。ロック部３１ａが突出した状態から、スライドボタン３１ｂを１度スライドさせると、ロック部３１ａが、蓋部本体３内に引き戻されるとともに、その引き戻された状態で固定され、もう一度スライドさせるとその固定状態が解除され、再びロック部３１ａが裏面３ａから突出するようになっている。そして、蓋部本体３と受け部４とを相互に閉じた状態におくと、ロック部３１ａが裏面３ａから突出しているときには、ロック部３１ａがボタン２９ｂと受け部４との隙間３２に嵌合され、ボタン２９ｂが押圧できない状態、すなわち係合部２９と被係合部材３０とがロックされるようになっている。一方、スライドボタン３１ｂをスライドさせ、ロック部３１ａが蓋部本体３内に引き戻されると、隙間３２が解放され、両者のロックが解除されることにより、ボタン２９ｂが正常に押圧されるようになっている。
【００２４】
次に、このように構成された本実施形態に係る電子機器の使用方法について説明する。
使用者は、バンド６を自分の手首に巻き、図示しない止め具によってバンド６を固定することにより、楽音再生装置１を装着する。このとき、本装置１は、装着した者から見て、図２に示すＢ側が奥に、Ａ側が手前にくるよう配置される。この状態で、使用者は、表示部１１に表示される時刻を見ることにより、本装置１を腕時計として使用することができる。
【００２５】
また、本装置１により音楽等を聴く場合には、パーソナルコンピュータからダウンロードした楽音データ等を記録したメモリーカード２を本装置１にセットし、再生キー等の所定の操作キー７を押圧する。すると、メモリーカード２にコード化されて記録されていた楽音情報は、入出力端子２ａから、電極端子２２、フレキシブル配線基板１３を介して本装置１内に読み出される。そして、蓋部本体３に内蔵されたＭＰ３デコーダ（不図示）によりオーディオ信号として復調され、復調されたオーディオ信号は、アナログ信号に変換された後に増幅されてヘッドホンスピーカ（不図示）から音として出力される。これにより、使用者は音楽を聴くことができる。また、別のメモリーカード２に記録された楽音データについて音楽を聴く場合には、それまでのメモリーカード２を取り外すとともに、聴きたい音楽が記録された別のメモリーカード２を改めてセットすることにより、目的の音楽を聴くことができる。このように、幾つものメモリーカード２を着脱することにより、使用者は多くの音楽を聴き楽しむことができる。
【００２６】
本実施形態に係る楽音再生装置１においては、以下のように、これらメモリーカード２の着脱が行われる。
すなわち、本装置１が使用者の手首に装着され、蓋部本体３と受け部４とが相互に閉じられた状態において、係合部２９と被係合部材３０とがロックされている場合には、図４および図５に示すように、スライドボタン３１ｂをスライドさせることにより、ロック部３１ｂを蓋部本体３内に引き戻し、ロックを解除する。ロックされていない場合にはこれらの操作は不要となる。そして、ロックが解除された状態で、両ボタン２９ｂを押圧することにより、両係合爪２９ａが、互いに近づくように受け部４の面４ａ上をスライドさせられる。すると、両係合爪２９ａの爪の先端がそれぞれの被係合爪３０ａから外れ、両者の係合状態が解除される。これにより、蓋部本体３は、本体ヒンジ部５を支点として使用者自身より奥側、すなわち図２に示すＢ側に向けて回転させられ、蓋部本体３と受け部本体４との相対角度が略６０度になるように配される。
【００２７】
そして、蓋部本体３の回転に応じてカセット２１が凹部２７から抜き出される。このとき、小ヒンジ部２０に設けられた板バネ２２の付勢力によって、カセット２１が小ヒンジ部２０を支点として、使用者自身より手前側、すなわち図２に示すＡ側に向けて回転させられ、開口部２３が使用者に向けられた状態となる。この開口部２３を介して、両端を指で把持したメモリーカード２を、その入出力端子２ａを先にしてカセット２１内に差し込む。また、別のメモリーカード２が収納されていた場合には、切欠２４から露出された別のメモリーカード２を直接指で把持し、カセット２１から引き抜く。こうしてカセット２１を空にしてから、前記のように新たなメモリーカード２を差し込む。
カセット２１にメモリーカード２が差し込まれると、蓋部本体３を閉じることにより、カセット２１が凹部２７内に収容されるとともに、係合爪２９ａが、被係合部材３０の傾斜部３０ｂにならってスライドさせられ、被係合爪３０ａと係合される。そして、スライドボタン３１ｂをスライドさせることにより、これら係合爪２９ａと被係合爪３０ａとがロックされる。
【００２８】
また、蓋部本体３を閉じ、係合爪２９ａと被係合爪３０ｂとが係合されると、蓋部本体３に設けられた防水部材２６が、裏面３ａと受け部４の面４ｂとの両方から押圧された状態となり、凹部２７内を密閉する。これにより、凹部２７内への水分の浸入が防止される。
【００２９】
以上より、本実施形態に係る楽音再生装置１によれば、従来と異なり、蓋部本体３に、メモリーカード２を収納するカセット２１が設けられているので、メモリーカード２の着脱が容易になる。
また、蓋部本体３を開いた状態にすると、カセット２１が、板バネ２０の付勢力により、小ヒンジ部２０を支点として回転させられ、カセット２１が取り外し易い角度に置かれるので、よりメモリーカード２の着脱が容易になる。
さらに、メモリーカード２１の開口部２３には、切欠２４が形成されていることから、そこから露出するメモリーカード２を直接把持することができ、その着脱が極めて容易になる。
【００３０】
また、カセット２１が蓋部本体３に設けられていることから、カセット２１の電極２２と基板１２とを電気的に接続するに際して、従来のように、本体ヒンジ部５にフレキシブル配線基板１３を通す必要が無く、開口部１０からフレキシブル配線基板１３を通すことにより、その接続を容易に行うことができる。
また、フレキシブル配線基板１３を開口部１３から出すことにより、蓋部本体３と受け部４とを相互に閉じたとき、メモリーカード２と基板１２との間の接続配線を、凹部２７内に集中させることができるので、凹部２７内を密閉することにより、配線をも含めたメモリーカード２を防水することができ、その防水効果を向上させることができる。
さらに、係合状態をロックするロック機構３１が設けられているので、蓋部本体３と受け部４とが閉じられた状態を安定確実に保持することができ、不意の振動や衝撃によって、係合爪２９ａがはずれて蓋部本体３と受け部４とが相互に開いてしまうのを防止することができる。また、メモリーカード２と台座９とが接触することなく凹部２７内に収容されていることから、上記振動や衝撃からメモリーカード２を保護することができる。
【００３１】
次に、本発明の別の実施形態について説明する。図６は、本発明の別の実施形態を示したものであり、前述の実施形態と同一の構成要素には同一の符号を付しその説明を省略する。
この実施形態においては、メモリーカード２を収納するカセット２が蓋部本体３の裏面３ａに、台座９と一体に構成され、切欠２４がカセット２１の主壁部２１ｃの中央に大きく開口部２３と連続して形成されるものである。
この構成において、メモリーカード２をカセット２１に収容すると、メモリーカード２の表面の一部が切欠２４から露出するようになっている。
この構成によれば、使用者は、収容されたメモリーカード２に親指等を押し当て、スライドさせることにより、その取り外しを容易に行うことができる。
また、部品点数が少なく、簡易な構成によりなるものであるため、製造コストを抑えることができる。
【００３２】
【発明の効果】
以上のように、本発明によれば、記憶媒体を収納するカセットが蓋部本体に設けられていることから、使用者の手首に装着された状態であっても、記憶媒体の着脱をスムーズに行うことができる。さらに、カセットと表示部とが同じ蓋部本体に設けられているため、カセットと表示部とを電気的に接続するための配線を容易にすることができる。
【図面の簡単な説明】
【図１】本発明に係る電子機器の一実施形態を示す概略斜視図である。
【図２】同実施形態における電子機器の上面図である。
【図３】同実施形態における電子機器の縦断側面図である。
【図４】同実施形態における電子機器の開いた状態を示す側面図である。
【図５】同実施形態における電子機器の閉じた状態を示す側面図である。
【図６】本発明に係る電子機器の他の実施形態を示す概略斜視図である。
【符号の説明】
１    電子機器
２    メモリーカード
３    蓋部本体
４    受け部
５    本体ヒンジ部（ヒンジ部）
６    バンド
１１  表示部
２０  小ヒンジ部（他のヒンジ部）
２１  カセット
２３  開口部
２４  切欠
２２  板バネ（付勢部材）
２６  防水部材
２７  凹部
２９  係合部（保持手段）
２９ａ  係合爪
３０ａ  被係合爪（被係合部）
３０  被係合部材（保持手段）
３１  ロック機構
【図１】
2005031996.tif 000003
【図２】
2005031996.tif 000004
【図３】
2005031996.tif 000005
【図４】
2005031996.tif 000006
【図５】
2005031996.tif 000007
【図６】
2005031996.tif 000008